(57)【特許請求の範囲】
【請求項１】
ケース部材を含むカートリッジにおいて使用されるシャッター部材であって、
前記ケース部材は、情報層を有する情報媒体を収納する媒体収納部と、前記情報層に対して記録動作または再生動作を行うヘッドが少なくとも進入可能なように構成された窓部とを含み、
前記シャッター部材は、
前記ケース部材の一側壁に沿って摺動可能に構成されたベース部材と、
前記ベース部材に係合された板部材であって、前記ベース部材の摺動動作に応じて前記ケース部材の窓部を開閉可能なように構成された板部材と
を備え、
前記ベース部材と前記板部材とは、前記ベース部材から前記板部材を取り外すことが可能なように係合されている、シャッター部材。
【請求項２】
前記ベース部材は、軸受部を有しており、
前記板部材は、回転軸を有しており、
前記ベース部材と前記板部材との係合は、前記板部材の回転軸を前記ベース部材の軸受部に回転自在に挿入することによってなされている、請求項１に記載のシャッター部材。
【請求項３】
ケース部材と、シャッター部材とを備えたカートリッジであって、
前記ケース部材は、
情報層を有する情報媒体を収納する媒体収納部と、
前記情報層に対して記録動作または再生動作を行うヘッドが少なくとも進入可能なように構成された窓部と
を含み、
前記シャッター部材は、
前記ケース部材の一側壁に沿って摺動可能に構成されたベース部材と、
前記ベース部材に係合された板部材であって、前記ベース部材の摺動動作に応じて前記ケース部材の窓部を開閉可能なように構成された板部材と
を含み、
前記ベース部材と前記板部材とは、前記ベース部材から前記板部材を取り外すことが可能なように係合されている、カートリッジ。
【請求項４】
前記ベース部材は、軸受部を有しており、
前記板部材は、回転軸を有しており、
前記ベース部材と前記板部材との係合は、前記板部材の回転軸を前記ベース部材の軸受部に回転自在に挿入することによってなされている、請求項３に記載のカートリッジ。
【請求項５】
前記ベース部材は、
前記ケース部材の一側壁に沿って前記ベース部が摺動する摺動方向に所定の長さと、前記摺動方向に直交する方向に所定の幅とを有する摺動平板部と、
前記摺動平板部の幅方向の側端面から連設された摺動側板部であって、前記摺動平板部の長さ方向の略中央に切欠部を有する摺動側板部と
を含み、
前記板部材は、
前記窓部を覆う窓被覆部と、
前記窓被覆部から突出した係合突出部と
を含み、
前記回転軸は、前記係合突出部の前記摺動方向に平行な一対の端壁から突出するように設けられており、
前記軸受部は、前記摺動側板部の前記切欠部に設けられている、請求項４に記載のカートリッジ。
【請求項６】
前記切欠部をそれぞれ有する一対の摺動側板部が、前記摺動平板部の幅方向の側端面から連設されている、請求項５に記載のカートリッジ。
【請求項７】
前記シャッター部材の開放動作の際にシャッターオープナと係合するシャッターオープナ係合部をさらに備え、前記摺動側板部の前記切欠部は、前記シャッターオープナ係合部まで延在する、請求項５に記載のカートリッジ。
【請求項８】
前記回転軸は、前記窓被覆部に平行な平面で切断した一対の切面を備えた形状を有している、請求項５に記載のカートリッジ。
【請求項９】
前記回転軸は、前記係合突出部のリブから突出するように設けられている、請求項５に記載のカートリッジ。
【請求項１０】
前記窓被覆部は、前記ケース部材と摺動する摺動面を有し、前記摺動面の表面に、微小凹凸加工したマット加工部が設けられている、請求項５に記載のカートリッジ。
【請求項１１】
前記窓被覆部の前記摺動方向に直交する端辺近傍であって、前記窓被覆部の所定の幅の範囲に、前記窓被覆部が前記ケース部材と摺動する摺動面から凹んだ凹部または前記端辺方向が薄いテーパー部の何れかが設けられている、請求項５に記載のカートリッジ。
【請求項１２】
前記ベース部材に適用する材料は、前記板部材に適用する材料に比べて、摺動特性またはガラス転移点の少なくとも何れか一方が高い材質である、請求項５に記載のカートリッジ。
【発明の詳細な説明】
【技術分野】
【０００１】
本発明は、ユーザ情報信号を記録及び／または再生（以下、記録再生と称す）できるデータ領域を有する情報媒体を収納するカートリッジおよびそれに用いられるシャッター部材に関する。
【背景技術】
【０００２】
図１８は、カートリッジを構成するケース部材１００の斜視図である。ケース部材１００は情報媒体１０１を収納する媒体収納部１０２を、ケース部材１００の厚み方向の略半分の厚みを有する上ハーフ１０３と下ハーフ１０４とにそれぞれ備え、情報媒体１０１を収納した後に例えば超音波融着等の手法で融着する。一般的に上ハーフ１０３及び下ハーフ１０４それぞれには、情報媒体１０１を回転駆動する不図示の回転駆動手段と、情報媒体１０１の情報層に対しユーザ情報の授受を担う不図示のヘッドが進入するための略Ｕ字形状を有する窓部１０５を形成した摺動面１０６を備える。この摺動面１０６は、上ハーフ１０３及び下ハーフ１０４で形成するカートリッジの厚みを規定する側周面１０７から後述のシャッター部材の厚み程度陥没し、窓部１０５を開閉するシャッター部材の板部が摺動する摺動面であり、シャッター部材の開放範囲を規制する開放位置決め部１０８を一対備える。但し、シャッター部材が片側のみ摺動するカートリッジの場合には、開放位置決め部１０８は何れか一方であっても良い。なお、ケース部材１００の窓部１０５のＵ字形状開放部側には、シャッター部材の摺動部が摺動係合する摺動側壁１０９を備え、摺動側壁１０９の切欠を連設する係止リブ１１０により、シャッター部材の摺動部がケース部材１００から離隔することを抑制している。また、シャッター部材の摺動部に対応する他端部がケース部材１００の厚み方向に離隔することを抑制するシャッター押さえ部１１１を有する。
【０００３】
図１９は、摺動側壁１０９に沿って摺動し窓部１０５を開閉するシャッター部材２００の構成を示す斜視図である。シャッター部材２００は摺動側壁１０９を摺動する摺動部２０１と、窓部１０５を開閉する板部２０２とから構成される。摺動部２０１には、摺動側壁１０９の方向にシャッター部材２００を摺動する不図示のシャッターオープナが係合するシャッターオープナ係合部２０３を外側に備え、内側には係止リブ１１０に摺動係合する爪を備える爪部２０４と、摺動側壁１０９に摺動方向をガイドする案内突起部２０５を備える。また、板部２０２の摺動部２０１に対向する他端部２０６はシャッター押さえ部１１１に係合する。なお、シャッターオープナとの係合は、例えばケース側壁に備える構成である場合には、シャッターオープナ係合部２０３は摺動部２０１の外側に備える必要はない。また、爪部２０４はシャッター押さえ部１１１と他端部２０６との間で引掛け係合する構成であれば必ずしも備えなくてもシャッター部材２００がケース部材１００から外れることはなく、案内突起部２０５は摺動部２０１の摺動方向に直交する幅と上ハーフ１０３及び下ハーフ１０４に備える摺動面１０６の厚み方向の幅との精度が高い場合には必ずしも必須ではない。しかしながら、一般に他端部２０６の厚みはシャッター押さえ部１１１の情報媒体１０１側に潜る構成のため薄く加工されるのでこの部分に爪を構成することは困難である点と、精度が良すぎると摺動性に劣るため、一般的に爪部２０４と案内突起２０５とは摺動部２０１の内側に備えることが多い。
【０００４】
以上の構成を有する従来のカートリッジの組立においては、ケース部材１００の媒体収納部に情報媒体１０１を収納し、上ハーフ１０３及び下ハーフ１０４を融着等で固定した後、シャッター部材２００をケース部材１００の摺動側壁１０９から押し込むことで爪部２０４と係止リブ１１０とを係合させ、他端部２０６を湾曲させてシャッター押さえ部１１１に係合させ完成する。
【０００５】
図１９で図示したシャッター部材２００のように、摺動部２０１と板部２０２とを一体で成形する製造方法としては、例えば特許文献１に開示されているように、固定型、可動型及びスライドコアの３分割された型を用い、それぞれの型の間隙にアセタール樹脂等を射出し、可動型とスライドコアとを固定型から引き離すことで、摺動部と板部とを一体成形したシャッター部材を得る旨が開示されている。
【０００６】
また、特許文献２には、摺動部、摺動部の一方に板部、及びケース部材の主面に備える溝に係合する突片を備えたシャッター片と、もう一方の板部とをケース部材に組み立てた後、摺動部に備える位置決め凸部ともう一方の板部に備える位置決め凹部とを嵌合させ、摺動部に備える溶融凸部ともう一方の板部に備える溶融凹部とを填めあわせると共に融着し、シャッター部材をケース部材に対して組み立てる旨が開示されている。
【０００７】
また、特許文献３には、シャッター部材をケース部材の上下ハーフの略厚み中心部で分割し、分割したそれぞれのシャッター部材には摺動部、板部及びケース部材の主面に備える溝に係合する突片を備え、摺動部に備える位置決め凸部と凹部とを嵌合させケース部材に対して組み立てた後、摺動部に備える溶融凸部と凹部とを填めあわせると共に融着することでシャッター部材をケース部材に対して組み立てる旨が開示されている。
【０００８】
さらに、特許文献４は、下ケース、固定蓋及び可動蓋とで構成されるケース部材と、摺動部、摺動部の一方の側面に板部、摺動部の他方の側面に非回動板部、非回動板部に係合する回動板部とで構成されるシャッター部材を備え、回動板部に備えるヒンジピンと下ケースに備えたＣ字形状のリテーナとが係合しながら回動板部が回動軸周りに２７０度回動することで、情報媒体を取り出し可能としたカートリッジである。摺動部の下ケース側に備えるＬ字形状の係合凹部と、下ケースに備える窓部を開閉する板部に備えるＬ字形状の係合凸部とを摺動部の摺動方向に嵌合させることで摺動部と板部とを固定し、摺動部の蓋側に備えるＬ字形状の係合凹部と、非回動板部に備えるＬ字形状の係合凸部とも摺動部の摺動方向に嵌合させることで摺動部と非回動板部とを固定する。非回動板部のリブに備える半球面形状凹部と、回動板部から突出したリブに備える半球面形状凸部とが嵌合することで、非回動板部及び回動板部それぞれに備えるリブを回転軸として回転し、ケース部材に備える回動軸に連動してシャッター部材の回転軸周りに回動板部が回転するシャッター部材が開示されている。
【特許文献１】特開平３−２６９８８４号公報（第３頁右下欄第１３行〜第４頁左下欄第２行、第４図及び第５図）
【特許文献２】特開平１１−３５７７号公報（段落番号００４０、図１１）
【特許文献３】特開２０００−２８５６３０号公報（段落番号００２３〜００２５、図１）
【特許文献４】特表２００１−５１３９３５号公報（第２３頁第２９行〜第２５頁第１行、図２〜図９）
【発明の開示】
【発明が解決しようとする課題】
【０００９】
シャッター部材２００は、厚みが１ｍｍ程度の薄い板部２０２と、ケース部材１００の摺動側壁１０９に摺動係合する複雑な形状を有する摺動部２０１とを備える。従って、射出成形等で板部２０２と摺動部２０１とを一体成形したシャッター部材２００では、射出成型品であるシャッター部材２００を型開する際に、射出成型品の温度差による内部応力及び／または型開時の離型力が相俟って、例えば板部２０２に局所的な湾曲が発生する平面性の低下、摺動部２０１と板部２０２とが成す角度が鋭角になったり鈍角になり定まり難い、あるいは摺動部２０１の摺動方向に対して板部２０２の面の平行度が低下する等の課題があり、シャッター部材２００の歩留まりが低いという課題がある。
【００１０】
例えば特許文献１に記載の成形方法であっても、射出成形後固定金型に対し可動金型及びスライドコアを移動する型開に際して、どうしても温度差に起因すると考えられる内部応力が生じ、設計通りのシャッター部材が成形し難い課題を依然として残存した。すなわち、板部２０２の平面性が低い場合には板部２０２の湾曲部分では窓部１０５の外形を成す縁辺から浮き上がり、この浮き上がり部分から埃等がカートリッジ内に入り込んだり、または当該縁辺に板部２０２の外周辺が当接しシャッター部材２００の摺動面１０６に対する摺動動作が止まりシャッター部材２００としての機能を損なうという課題がある。
【００１１】
また、成形品の厚み差が不連続な摺動部と板部との境界面で型開の際に生じる温度差が顕著であるため、板部２０２の平面性は良好であっても、摺動部２０１と板部２０２とが成す角度が鋭角であったり鈍角であったりする場合があり、ケース部材１００にシャッター部材２００を填め込む際に次のような課題が多発した。すなわち、摺動部２０１と板部２０２とが成す角度を図２０Ａに示すようにできるだけ９０°近傍にすると、ケース部材１００に対して填め込む際に板部２０２が摺動面１０６に対して平行となり、例えば窓部１０５に当接することで摺動動作が妨げられることがない。そのため、摺動部２０１と板部２０２とが成す角度が９０°近傍になるように設計する。ところが、前述したように一体成形工程における型開でシャッター部材２００の温度差に起因する内部応力により、図２０Ｂに示すように摺動部２０１と板部２０２とが成す角度が９０°未満の鋭角になったり、図２０Ｃに示すように摺動部２０１と板部２０２とが成す角度が９０°を越える鈍角になったりする。図２０Ｂに示すように鋭角のままシャッター部材２００をケース部材１００に填め込むと、摺動面１０６に他端部２０６及び／または他端部２０６の近傍が当たり、填め込み難いと同時に、窓部１０５から他端部２０６が入り込み情報媒体１０１の情報層に傷を付ける。逆に、図２０Ｃに示すように鈍角のままシャッター部材２００をケース部材１００に填め込むと、摺動面１０６への当接や情報媒体への傷に対する危険性はないが、シャッター押さえ部１１１と他端部２０６との係合距離を縮めようとする力に抗することでシャッター部材２００の摺動時に他端部２０６がシャッター押さえ部１１１から外れる、及び／または、一対の板部２０２間の距離が摺動部２０１近傍とシャッター押さえ部１１１近傍では摺動面１０６に沿うが板部２０２がいわゆる太鼓状となり湾曲し窓部１０５を面状で覆うことができないという課題がある。従って、摺動部２０１と板部２０２とが成す角度が９０°からのずれが大きいと、ケース部材１００に填め込む前に予め摺動部２０１と板部２０２との成す角度を矯正する必要がある。しかし、前述したように板部２０２の板厚は１ｍｍ程度と薄いため、矯正作業時の力の入れ方次第では板部２０２の平面性を損ねたり、板部２０２と摺動部２０１との連続部で破断したりすることが多発し、シャッター部材２００の歩留まりが悪いという課題がある。さらに、矯正直後は摺動部２０１と板部２０２とは矯正されるにしても、一旦発生した内部応力は経時により元に復帰するため、信頼性に欠ける課題がある。
【００１２】
また、両面に情報層を有する情報媒体と片面のみに情報層を有する情報媒体との区別、両面に情報層を備える情報媒体ではＡ面とＢ面との区別、及び／または、収納している情報媒体の容量や種類等の各種の情報をユーザーに視認し易くするため、板部２０２に印刷適正を持たせるため板部２０２の摺動面１０６に対向する面の反対面に微細な表面凹凸を備えるいわゆるマット加工（あるいは、しぼ加工とも称される）が施されるが、このマット加工は摺動面１０６に対する摺動性も良好にできるため、摺動面１０６と対向する板部２０２にも施すことにより、面状の摺動特性が良好なシャッター部材が得られる。また、録再装置のトレイにカートリッジを固定するため、押圧され当該カートリッジに歪みが生じ、以て摺動面１０６に傷を付ける等を抑制するためにも、板部２０２の摺動面１０６側にしぼ加工を施すことは有効である。しかしながら、シャッター部材２００を一体成形すると、例えば特許文献１に開示のスライドコアを型開するときに、当該微小な凹凸が型開を抑制し、無理に型開を行うと摺動部２０１と板部２０２とが切断する、あるいはスライ
ドコアを引き抜く際に微小な凹凸が潰れる等の課題があり、一体成形のシャッター部材２００では板部２０２の面１６０側にしぼ加工を施すことができなく、シャッター部材２００とケース部材１００との摺動特性を良好にすると共に、摺動面１０６の対する傷を抑制できないという課題もある。
【００１３】
この一体成形のシャッター部材が本質的に有する各種課題を解決する一手段として、特許文献２及び３が知られている。特許文献２及び３は、摺動部の片側のみに板部を一体成形したシャッター部材前駆体に関し、ケース部材にシャッター部材前駆体を組み込んだ後融着することでシャッター部材とする内容であり、シャッター部材前駆体の融着時に加熱・加圧することが必須である。この加熱時に圧力を印加するため摺動部と板部とが歪むことがあり、この歪みにより摺動部と板部とが成す角度を鋭角または鈍角にすることで、先に説明した特許文献１と同様の課題があると共に、前述したように一体成形のシャッター部材では予めシャッター部材の形状を矯正することが可能であるが、特許文献２及び３ではケース部材と組み立てた後融着する構成で、しかもシャッター部材に備える突起部が係合する案内溝をケース部材のシャッター部材が摺動する面に備えるため、融着後に矯正することはできない。また、この歪みは摺動部と板部とが成す角度だけではなく、特許文献２では摺動部と一体成形した板部と融着により固着する板部との摺動部の摺動方向に対する平行度が低下する課題、特許文献３では摺動部同士が摺動方向に対する平行度が低下する課題があり、ケース部材の摺動側面に正確に摺動し難く、または平行度のずれが大きい場合には例えばシャッターオープナとの係合が不充分となったり、あるいはシャッター押さえ部に対する他端部の係合が不充分となる場合がある。
【００１４】
特許文献４には、下ケースに対して填めあう可動蓋を回動することで、収納した情報媒体をカートリッジから取り出すことができる構成であり、可動蓋の回動に連動してシャッター部材の回動板部も回動する。但し、摺動部と板部及び非回動板部との固定は、摺動部に備えるＬ字形状の係合凹部と板部及び非回動板部それぞれに備えるＬ字形状の係合凸部とを、摺動部の摺動方向に対し力を印加することで嵌合させる構成であり、Ｌ字形状の凹部及びＬ字形状の凸部の加工精度が要求される。すなわち、例えばＬ字形状凹部の寸法がＬ字形状凸部の寸法に対し小さい、またはＬ字形状凸部の寸法がＬ字形状凹部の寸法に対し大きい場合には、嵌合の際に強い力を印加しなければならなく、嵌合の際に印加する力が摺動部の摺動方向であるため摺動部が摺動するため力を加え難く、またＬ字形状の凹部と凸部との嵌合う箇所を破損する場合がある。逆にＬ字形状凹部の寸法がＬ字形状凸部の寸法に対し大きい、またはＬ字形状凸部の寸法がＬ字形状凹部の寸法に対し小さい場合には、嵌合部で容易に分解することとなり、例えば録再装置内でのカートリッジの信頼性に欠ける等の課題がある。さらに、非回動板部と回動板部との係合部は、半球面形状の凹部と半球面形状の凸部との回転自在の係合であるため、シャッター部材に摺動動作を繰り返すことにより加えられる外力により、係合部の係合力が弱まり係合部で容易に分断するという課題もある。
【００１５】
本発明は係る従来の課題に鑑み成されたもので、ケース部材の板部材が摺動する摺動面と平行度が高く、摺動面に備える窓部を開閉する際の抵抗力を撲滅できるカートリッジおよびそれに用いられるシャッター部材を提供することを目的とする。
【課題を解決するための手段】
【００１６】
本発明のシャッター部材は、ケース部材を含むカートリッジにおいて使用されるシャッター部材であって、前記ケース部材は、情報層を有する情報媒体を収納する媒体収納部と、前記情報層に対して記録動作または再生動作を行うヘッドが少なくとも進入可能なように構成された窓部とを含み、前記シャッター部材は、前記ケース部材の一側壁に沿って摺動可能に構成されたベース部材と、前記ベース部材に係合された板部材であって、前記ベース部材の摺動動作に応じて前記ケース部材の窓部を開閉可能なように構成された板部材
とを備え、前記ベース部材と前記板部材とは、前記ベース部材から前記板部材を取り外すことが可能なように係合されている。
【００１７】
本発明のカートリッジは、ケース部材と、シャッター部材とを備えたカートリッジであって、前記ケース部材は、情報層を有する情報媒体を収納する媒体収納部と、前記情報層に対して記録動作または再生動作を行うヘッドが少なくとも進入可能なように構成された窓部とを含み、前記シャッター部材は、前記ケース部材の一側壁に沿って摺動可能に構成されたベース部材と、前記ベース部材に係合された板部材であって、前記ベース部材の摺動動作に応じて前記ケース部材の窓部を開閉可能なように構成された板部材とを含み、前記ベース部材と前記板部材とは、前記ベース部材から前記板部材を取り外すことが可能なように係合されている。
【発明の効果】
【００１８】
本発明のシャッター部材およびカートリッジは上記構成を備えるため、ベース部材の摺動に応じて板部材の摺動動作に何等抵抗が無く、ケース部材に対しシャッター部材の組込も極めて容易にできる効果がある。
【発明を実施するための最良の形態】
【００１９】
本発明のシャッター部材は、ケース部材を含むカートリッジにおいて使用されるシャッター部材であって、前記ケース部材は、情報層を有する情報媒体を収納する媒体収納部と、前記情報層に対して記録動作または再生動作を行うヘッドが少なくとも進入可能なように構成された窓部とを含み、前記シャッター部材は、前記ケース部材の一側壁に沿って摺動可能に構成されたベース部材と、前記ベース部材に係合された板部材であって、前記ベース部材の摺動動作に応じて前記ケース部材の窓部を開閉可能なように構成された板部材とを備え、前記ベース部材と前記板部材とは、前記ベース部材から前記板部材を取り外すことが可能なように係合されている。このような構成を有するシャッター部材によれば、ベース部材の摺動に応じて板部材の摺動動作に何等抵抗が無く、ケース部材に対しシャッター部材の組込も極めて容易にできる効果がある。
【００２０】
本発明のシャッター部材では、前記ベース部材は、軸受部を有しており、前記板部材は、回転軸を有しており、前記ベース部材と前記板部材との係合は、前記板部材の回転軸を前記ベース部材の軸受部に回転自在に挿入することによってなされていてもよい。
【００２１】
本発明のカートリッジは、ケース部材と、シャッター部材とを備えたカートリッジであって、前記ケース部材は、情報層を有する情報媒体を収納する媒体収納部と、前記情報層に対して記録動作または再生動作を行うヘッドが少なくとも進入可能なように構成された窓部とを含み、前記シャッター部材は、前記ケース部材の一側壁に沿って摺動可能に構成されたベース部材と、前記ベース部材に係合された板部材であって、前記ベース部材の摺動動作に応じて前記ケース部材の窓部を開閉可能なように構成された板部材とを含み、前記ベース部材と前記板部材とは、前記ベース部材から前記板部材を取り外すことが可能なように係合されている。このような構成を有するカートリッジによれば、ベース部材の摺動に応じて板部材の摺動動作に何等抵抗が無く、ケース部材に対しシャッター部材の組込も極めて容易にできる効果がある。
【００２２】
本発明のカートリッジでは、前記ベース部材は、軸受部を有しており、前記板部材は、回転軸を有しており、前記ベース部材と前記板部材との係合は、前記板部材の回転軸を前記ベース部材の軸受部に回転自在に挿入することによってなされていてもよい。
【００２３】
また、本発明のカートリッジでは、前記ベース部材は、前記ケース部材の一側壁に沿って前記ベース部が摺動する摺動方向に所定の長さと、前記摺動方向に直交する方向に所定
の幅とを有する摺動平板部と、前記摺動平板部の幅方向の側端面から連設された摺動側板部であって、前記摺動平板部の長さ方向の略中央に切欠部を有する摺動側板部とを含み、前記板部材は、前記窓部を覆う窓被覆部と、前記窓被覆部から突出した係合突出部とを含み、前記回転軸は、前記係合突出部の前記摺動方向に平行な一対の端壁から突出するように設けられており、前記軸受部は、前記摺動側板部の前記切欠部に設けられていてもよい。このような構成を有するカートリッジによれば、板部材単独で成形できるため平面性が極めて高い板部材をシャッター部材の窓被覆部とすることができると共に、板部材の係合突出部に備える回転軸と手動部材の切欠部に備える軸受部とで回転自在に遊挿する摺動部材と板部材との係合であるため、窓部を形成したケース部材の窓被覆部が摺動する摺動面と板部材との平行度を保証することができ、摺動部材の摺動動作に応じて窓被覆部による窓部の閉塞・開放動作時に、窓被覆部と窓部の縁辺とが当接することを完全に克服できる構成が完璧に達成できると共に、一体成形したシャッター部材における矯正作業を撲滅でき、シャッター部材の歩留まりと作業効率とが向上でき、以てカートリッジを安価にすることができる。
【００２４】
また、本発明のカートリッジでは、前記切欠部をそれぞれ有する一対の摺動側板部が、前記摺動平板部の幅方向の側端面から連設されていてもよい。このような構成を有するカートリッジによれば、記録及び／または再生装置内で情報媒体を回転駆動する回転駆動手段に対し情報媒体を圧着するクランパーと称される押圧部を記録及び／または再生装置にも適応することができると共に、摺動平板部に備える一対の切欠部の軸受部の何れにも板部材を備えることで、ベース部材の摺動動作に応じて板部材の開閉動作時の窓被覆部と窓部の縁辺とが当接する課題を完全に解消することができる。
【００２５】
また、本発明のカートリッジでは、前記シャッター部材の開放動作の際にシャッターオープナと係合するシャッターオープナ係合部をさらに備え、前記摺動側板部の前記切欠部は、前記シャッターオープナ係合部まで延在してもよい。このような構成を有するカートリッジによれば、シャッターオープナーによるシャッター部材の開放・閉塞動作の確実性が増すと共に、切欠部及び板部材の係合突出部形成に対する裕度が増え、ベース部材及び板部材の機械的強度及び信頼性が増加させることができる。
【００２６】
また、本発明のカートリッジでは、前記回転軸は、前記窓被覆部に平行な平面で切断した一対の切面を備えた形状を有していてもよい。このような構成を有するカートリッジによれば、媒体収納部に収納した情報媒体に対し略直交する方向に板部材を挿入すると、回転軸に備える切面が摺動側板部表面から軸受部に案内する軸受案内部に対向しながら容易に係合することができ、挿入後板部材を９０°回動させることで切面は窓被覆部が摺動するケース部材の面と平行となるため軸受部から抜けることがない。従って、シャッター部材の組立工程が極めて容易であり、シャッター部材をケース部材に組み込んだ後板部材が摺動部材から脱落することも抑制でき、しかも窓部が形成する平面と窓被覆部との平行度が高くシャッター部材の摺動安定性も保証できる。
【００２７】
また、本発明のカートリッジでは、前記回転軸は、前記係合突出部のリブから突出するように設けられていてもよい。このような構成を有するカートリッジによれば、リブが係合突出部の平面からの突出量だけ板部材の回転軸周りの回転に対する自由度が増し軸受部に対し回転軸を遊挿しやすく、また回転軸の機械的強度も向上するため、より好ましいシャッター部材を構成することができる。
【００２８】
また、本発明のカートリッジでは、前記窓被覆部は、前記ケース部材と摺動する摺動面を有し、前記摺動面の表面に、微小凹凸加工したマット加工部が設けられていてもよい。このような構成を有するカートリッジによれば、窓被覆部とケース部材に備える窓被覆部が摺動する面との摩擦力を低減することができ、摺動特性を向上したシャッター部材を備
えるカートリッジを提供できる。
【００２９】
また、本発明のカートリッジでは、前記窓被覆部の前記摺動方向に直交する端辺近傍であって、前記窓被覆部の所定の幅の範囲に、前記窓被覆部が前記ケース部材と摺動する摺動面から凹んだ凹部または前記端辺方向が薄いテーパー部の何れかが設けられていてもよい。このような構成を有するカートリッジによれば、窓部を形成する縁辺と窓被覆部の端辺との当接を防止することができ、窓被覆部と窓部が形成する縁辺との当接する可能性を完璧に抑制でき、また例えば記録及び／または再生装置が備えるトレイ上でカートリッジを把持するため付加される外力が当該カートリッジに印加されることに起因して発生するカートリッジの歪みが生じた場合であっても、縁辺と端辺とが当接することが無く、ケース部材に対するシャッター部材の摺動特性をあらゆる場合に亘って保証できる。
【００３０】
また、本発明のカートリッジでは、前記ベース部材に適用する材料は、前記板部材に適用する材料に比べて、摺動特性またはガラス転移点の少なくとも何れか一方が高い材質であってもよい。このような構成を有するカートリッジによれば、複雑な形状を有するベース部材には比較的高価で成形性が良好で、しかも摺動部が摺動係合するケース部材の一側壁に対する摺動特性を勘案した材料選択ができ、板部材としては成形性のみを勘案した比較的安価な材料を選択することができ、以てシャッター部材が備える摺動部及び窓被覆部それぞれに適した材料選択の自由度が向上すると共に、シャッター部材を安価にすることができる。なお、例えばポリアセタール樹脂や含弗素樹脂等の一般的に摺動特性に優れる材料の成形品表面は印刷適性に欠けるため、板部材に例えばアクリロニトリル・スチレン樹脂やアクリロニトリル・ブタジエン・スチレン樹脂等の印刷適正化処理が容易な材料を適用することができる効果も有する。
【００３１】
以下、図面を参照して本発明のカートリッジを詳述する。
【００３２】
図１は、本発明のカートリッジに適用できるシャッター部材１の一実施例を示す斜視図である。
【００３３】
シャッター部材１は、ベース部材２と、板部材３とを含む。ベース部材２と板部材３とは、ベース部材２から板部材３を取り外すことが可能なように係合されている。ベース部材２と板部材３との係合は、例えば、板部材３の回転軸３３をベース部材２の軸受部２５に回転自在に挿入することによってなされている。
【００３４】
ベース部材２は、図１及び図２に示すように、摺動平板部２１と摺動側板部とを含む。
【００３５】
摺動平板部２１は、不図示のケース部材の一側壁（以下、摺動側壁と称す）を摺動する摺動面を内側に備える。摺動平板部２１は、摺動方向に所定の長さと摺動側壁１０９の厚みより大きい幅とを備える。
【００３６】
摺動側板部２２は、摺動側壁１０９からケース部材の方向に所定の高さだけ摺動平板部２１から連設する。摺動側板部２２は、摺動方向に摺動平板部２１の長さと略同一の長さを備える。摺動側板部２２は、摺動側板部２２の摺動方向の略中央部に所定の幅だけ一対の壁２４で切断した切欠部２３を有する。軸受部２５は、摺動側板部２２及び一対の壁２４にそれぞれ露出するように設けられている。
【００３７】
なお、ベース部材２は、摺動側壁１０９に沿って摺動するため係止リブ１１０に係合する爪２７を備えた爪部２８と、摺動側壁１０９に形成した溝を案内する案内突起部２９を備えた例を示しているが、爪部２８と案内突起部２９は前述したように備えなくてもよい場合がある。
【００３８】
板部材３は、図１及び３に示すように、不図示のケース部材に備える窓部を覆う窓被覆部３１と、窓被覆部３１の略中央部から所定の長さ突出した切欠部２３に係合する係合突出部３２とを含む。回転軸３３は、軸受部２５に対し回転自在に遊挿する回転軸断面３４を備える。なお、一体化板部４は、板部材３が係合する方向と反対側のベース部材２から連設された板部材である。
【００３９】
図１から分かるように、切欠部２３の幅は係合突出部３２の幅に略等しく、摺動平板部２１の長さは窓被覆部３１の摺動方向の幅に略等しい。また、回転軸断面３４の面積は壁２４よりも狭く、一対の軸受部２５及び一対の回転軸３３は同一中心軸を有する。
【００４０】
本実施例のシャッター部材１では、板部材３の回転軸３３と、ベース部材２の軸受部２５とが遊挿関係にある（すなわち、板部材３の回転軸３３がベース部材２の軸受部２５に回転自在に挿入されている）ため、例えば図１４に示したケース部材１００の摺動側壁１０９に対してベース部材２の摺動平板部２１を摺動係合させ、摺動側壁１０９に対向する後側壁１１２で垂直に立てた状態では、窓被覆部３１の摺動面１０６側と摺動側板部２２の摺動面１０６側とは、窓被覆部３１全領域で同じ間隙ｄで保持され、一体成型品の従来のシャッター部材における摺動部と板部とが成す角度が鋭角になったり鈍角になることに起因する窓被覆部３１が摺動面１０６及び／または窓部１０５の縁辺と当接し摺動特性に生じる不具合を解消することができる。すなわち、本実施例のシャッター部材１はベース部材２と板部材３とをそれぞれ独立して成形し、板部材３の係合突出部３２に備える回転軸３３が回転自在に軸受部２５で遊挿する構成を備えるため、極めて平面性の良い板部材３が得られ、しかも平面性が極めて高い板部材３とベース部材２との係合は回転軸３３と軸受部２５との遊挿関係であるため、摺動特性に極めて優れるシャッター部材１を提供できる。また、後側壁１１２の面で垂直に立てた状態では、窓被覆部３１と摺動面１０６との間隙ｄは板部材３全面に渡り一定であるため、間隙ｄをほぼ０にする構成であっても上記良好な摺動関係は維持でき、以て窓被覆部３１による窓部１０５の縁辺から埃等の異物がカートリッジの内部に入り込みことを抑制できる。このようにして、板部材３の係合突出部３２の反対面の他端部（図示は省略）をシャッター押さえ部１１１と係合させることにより、摺動特性及び防塵特性に優れるカートリッジが実現できる。また、ベース部材２の軸受部２５への板部材３の装着方向は、軸受部２５の摺動側板部２２への開口を介してベース部材２の摺動方向に直交する方向から回転軸３３を挿入するため、例えば特許文献４に見受けられるようなベース部材２が摺動側壁１０９に沿って摺動する方向に起因する挿入方向に力を加え難いことを解消すると共に、軸受部２５の内部で回転軸３３が遊挿する関係であるため加工精度も低くすることができる。また、板部材３とベース部材２との係合は回転軸３３と軸受部２５とで形成する摺動方向及び摺動方向に直交する面方向の何れに対しても剛体係合の構成であるため、特許文献４の半球面形状の凹凸による回動係合とは異なり、摺動動作に対する耐性も強靱化することができる。
【００４１】
なお、図１及び２ではベース部材２と一体化板部４とを一体成形した実施例であるが、中心孔１１３に例えば磁性ハブを有しマグネットチャッキング等で片側からチャッキングする情報媒体１０１の場合には、ベース部材２は図４の構成を採用することができる。すなわち、図４は本発明のカートリッジに適用できるベース部材２の他の実施例であり、ベース部材２には一体化板部４に代わり摺動係合側板部５を備えた構成であり、他の点は図１及び２に示したベース部材２と同じである。図１及び２で説明したベース部材２では、板部材３による摺動面１０６に対して摺動特性に優れる構成は達成できるが、ベース部材２と一体成形した一体化板部５では、型開の際に一体化板部５と摺動平板部２１との成す角度が鋭角になったり鈍角になる可能性が若干残され、摺動側壁部１０９に沿った摺動特性が劣化する可能性はあるが、図４に示したベース部材２の構成を採用すると、摺動特性の完璧性を保証することができる。
【００４２】
また、図５は本発明のカートリッジに適用できるベース部材２の別の実施例である。図５のベース部材２は、図４の摺動係合側板部５に代え摺動側板部２２を備え、双方の切欠部２３に板部材３を回転自在に軸受部２５に遊挿させる構成である。この構成は、カートリッジの一方の面からターンテーブル等の媒体回転手段を中心孔１１３に装着し、媒体回転手段に係合する他方の中心孔１１３の面には情報媒体１０１をクランパー等のチャキング手段を備える場合に有効である。本実施例によれば摺動面１０６に対し媒体収納部１０２を介して反対面の摺動面１０６にも窓部１０５を備えるケース部材１００にも、上述の実施例と同様に板部材３と摺動面１０６との高い摺動特性を有し、しかも例えば情報層を両面に有する情報媒体１０１にも適用することができるカートリッジを提供できる。
【００４３】
なお、上記実施例で説明したように、本発明の板部材３は摺動面１０６に対する平行度が極めて高いため、例えば窓被覆部３１と摺動面１０６とが摺接することは極めて少ないが、録再装置のトレイに対し本発明のカートリッジを固定するため押圧され当該カートリッジに歪みが生じ、以てトレイ上でシャッター部材１を開閉する際に、摺動面１０６と窓被覆部３１との摺接、及び／または、摺動面１０６と窓被覆部３１の摺動方向の縁辺との摺接により、摺動面１０６に傷を付ける等の可能性もある。本発明の板部材３は単独で成形するため、両面にしぼ加工をすることも、摺動面１０６に対向する窓被覆部３１の摺動方向の縁辺に所定の幅を有する凹みを備える凹部や縁辺の方向に厚みが薄くなるテーパー部等の加工をすることも自由に行え、ケース部材１００に生じる歪みに対する追従性及び摺動性を両立するカートリッジを提供することができる。
【００４４】
また、前述したように、窓被覆部３１にはカートリッジに収納した情報媒体１０１の種類、容量、両面に情報層を備える場合には情報層の識別等の付帯的な情報をユーザが視認するため印刷適正処理を施すことが一般的である。そのため例えばしぼ加工により印刷適正を窓被覆部３１に付与するが、本発明の板部材３は単独で成形した後ベース部材２に対して遊挿状態に装着するため、カートリッジに装着された板部材３を取り外し印字処理を当該板部材３に施した後再装着することも可能で、ユーザーの多様な用途に適合することができる。例えば板部材３にインクジェット記録適正を持たせる処理を施し、カートリッジに収納した情報媒体１０１に所望の情報を記録した後、板部材３をカートリッジから取り外しインクジェットプリンタで窓被覆部３１に情報媒体１０１に記録した情報の種類等を記載ししかる後ベース部材２に板部材３を再装着することもでき、または情報媒体１０１に記録した情報の内容に応じて板部材３の色を変えて用いる、さらに情報媒体１０１が書換可能型の場合には、例えば特許第２５９８８４１号公報や特許第２９９３２０３号公報等に記載されている書換可能型の感熱記録層を板部材３に施し、当該板部材３をベース部材２から取り外し、記録した情報に応じて感熱記録法で記録した後再びベース部材２に装着することもできる。
【００４５】
なお、これら板部材３に対する各種加工は、ベース部材２と板部材３とをそれぞれ単独に成形することで達成できるが、上述したように単に板部材３（特に窓被覆部３１）の加工だけでなく、ベース部材２と板部材３とにそれぞれ適する材料を供することもできる。すなわち、ベース部材２は摺動側壁１０９に沿って摺動することと、係止リブ１１０に係合する爪２７を備える爪部２８及び案内突起部２９等の複雑な形状を備えることが要請されるため、摺動特性、型開特性及び／またはガラス転移点が高い例えばポリアセタール樹脂、含弗素樹脂、高摺動アクリロニトリル・ブタジエン・スチレン樹脂等を適用し、板部材３には通常のアクリロニトリル・ブタジエン・スチレン樹脂、アクリロニトリル・スチレン樹脂等を適用することでできる。この材料選択は、必要とされる物性を適正に選択するだけではなく、ベース部材２に供する材料より安価な材料を板部材３に適用することにより、トータルとしてシャッター部材１の材料コストを低減できる効果も奏する。
【００４６】
上述の実施例では何れも、例えば光磁気ディスクを収納したカートリッジや、コンピュータのプログラム等を保存する磁気ディスクを収納したカートリッジのように、ベース部材２のケース部材１００に対向する面（以下、摺動平板外側部と称す）にシャッター部材１を開閉するシャッターオープナ係合突起部を備えない平坦な場合について述べたが、本発明のカートリッジは摺動平板外側部にシャッターオープナ係合部を備える構成であっても適用できること勿論であると共に、シャッターオープナ係合部を備えることにより係合突出部３２及び軸受部２５の機械的強度も向上することができる。そこで、摺動平板外側部にシャッターオープナ係合部を備える実施例について説明する。図６は、本発明のカートリッジに適用できるベース部材の他の実施例に係る斜視図で、シャッターオープナ係合部５０を備える構成が異なるが、基本的には上述の実施例で説明した各構成要素と同一の機能を備える。但し、摺動側板部２２に備える切欠部２３の切欠深さが上述の実施例より深いため、切欠部２３の切欠範囲に入り込み係合する板部材３に備える係合突出部３２の突出長さも等価的に大きく構成でき、係合突出部３２の機械的強度及び回転軸３３を備える係合突出部３２の位置の自由度等を向上させることができる。また、シャッターオープナ係合部５０を摺動平板外側部に備えるため、シャッターオープナ構成の簡略化と、シャッター部材１の開閉動作を確実にでき得る録再装置に対応することもできる。
【００４７】
上述の実施例では、回転軸断面３４は円形形状で、軸受断面２６は矩形の凹部について述べたが、他の形状を除外するものではなく、例えば回転軸断面３４は円形形状で軸受断面２６は三角形状、六角形状等の多角形形状であっても楕円形状であっても良く、例えば軸受断面２６が矩形の凹部で回転断面３４の形状が三角形状や六角形状等の多角形形状であっても適用でき、要するに回転軸３３が軸受部２５の内部で遊挿できる形状関係で、回転軸３３が軸受部２５から外れ難い形状関係であることが好ましく、それぞれの断面形状を自由に選択して用いることができる。この回転軸断面３４と軸受断面３４との形状の一実施例を次に説明する。
【００４８】
この実施例におけるベース部材２の構成を示す斜視図を図７に、また板部材３の構成を示す平面図を図８Ａに、板部材３の構成の要部拡大図を図８Ｂに示す。図７は、図６と同様にシャッターオープナ係合部５０を備え、切欠部２３の切欠深さはシャッターオープナ５０の頂上まで達し、その効果も同様である。図６と異なる点は、ベース部材２のシャッターオープナ係合部５０上に備える天板部５１、及び軸受案内部６１及び軸受遊挿部６２を備える軸受部６０の構成である。天板部５１はベース部材２を通って埃等の異物がカートリッジ内部に入り込むことを抑制する機能を備える。また、軸受案内部６１は摺動側板部２２の表面に摺動方向に略平行でｍの間隔を介して対向する一対の辺を含む略長方形状で開口し、円形形状の軸受断面２６を有する軸受遊挿部６２と繋がっている。板部材３は図８Ａに示すように、窓被覆部３１の幅方向の略中央部から切欠部２３の略切欠距離の長さだけ突出する係合突出部３２、係合突出部３２の端辺近傍に軸受遊挿部６２に遊挿係合し板部材３を回転する回転軸７１、回転軸７１の他方の窓被覆部３１の端辺近傍にはケース部材１００に備えるシャッター押さえ部１１１に係合する押さえ係合部３５を備える。押さえ係合部３５は従来技術の他端部２０６及び上記何れの実施例における板部材３にも備え、板厚を窓被覆部３１の例えば半分程度に薄くすることで、シャッター押さえ部１１１と摺動面１０６との隙間に収納される。図８Ｂは、図８ＡのＧ方向からの矢視拡大図で、回転軸７１の詳細を示している。回転軸７１は基本的には直径ｒの円形で、中心線から均等にｌの距離を介して窓被覆部３１の摺動面１０６に対して摺動する面に平行な平面で切断した切面７２を一対備える。なお、図７における距離ｅは、摺動平板部２１に略平行で摺動側板部２３に略直交させた板部材３を軸受案内部６１を介して軸受遊挿部６２に挿入し、挿入後軸受遊挿部６２に遊挿係合した回転軸７１周りに板部材３を９０°回動させるため、回動の際に係合突出部３２の板厚及び／または回転軸７１と係合突出部３２の窓被覆部３１の反対側の端辺との間隙ｆを吸収するために備える。すなわち、板厚や間隙ｆだけ回転軸７１の回転中心からの距離が長くなるため、ベース部材２に距離ｅだけの空隙
を備えることとなる。なお、間隙ｆは必ずしも必須ではなく、係合突出部３２の端辺に備えてもよい。また、回転軸７１の直径ｒ及び一対の切面７２間の距離ｌと、軸受部６０における間隔ｍとの関係は、ｒ＞ｍ≧ｌとすればよいが、ｍとｌとが等しい場合には板部材３をベース部材２に対して遊挿係合させる際に不要に力を加える必要があるため、ｍ＞ｌの関係が好ましい。また、ｒは軸受遊挿部６２の直径以下であればよいが、等しい場合には軸受部６０に板部材３を挿入後回転させる際に不要な力を要するため、ｒは軸受遊挿部６２の直径未満とする方が好ましい。
【００４９】
図８Ａおよび図８Ｂに示した係合突出部３２と回転軸７１との配置関係でも機能的には何等問題はないが、回転軸７１の機械的強度を向上させるためには、例えば１ｍｍ程度の板厚の係合突出部３２の側端面から連設する構成よりも、例えば２ｍｍ程度のリブを係合突出部３２に備え、そのリブの側端面から回転軸７１を備える構成にすると、回転軸７１の機械的強度が向上するため好ましい。例えば図９Ｄに示した係合突出部３２と図８Ｂに示した係合突出部３２の板厚（紙面の横方向）を同一とすると、図９Ｄの回転軸７１の直径ｒ及び一対の説明７２間の間隙ｌ共に図８Ｂの構成よりも太くできることが分かる。
【００５０】
次に、図９Ａ〜図９Ｄを参照して本発明のカートリッジに適用できるシャッター部材１の組立方法を説明する。なお、この組立方法は図９Ａ〜図９Ｄで示した実施形態に限定されるものではなく、本発明のカートリッジに適応できる全てのシャッター部材１に共通すること勿論である。図９Ａは、板部材３をベース部材２の軸受遊挿部６２に挿入する工程を示し、図９Ｂは、挿入後板部材３を９０°程度回転する工程を示し、図９Ｃは、回転してシャッター部材を組み立てた状態を示し、図９Ｄは、図９ＡのＥ部の拡大図である。図９Ａに示したように、ベース部材２の摺動側板部２２に直交しベース部材２の摺動方向に平行な方向に板部材３を配置し、軸受案内部６１を介して板部材３を軸受遊挿部６２に矢印Ｆ方向に挿入する。これは、図９Ｄに示した一対の切面７２と軸受案内部６１の開口とが略平行関係になり、前述したようにｍとｌとの寸法関係から容易に挿入できる。このようにして回転軸７１を軸受遊挿部６２に挿入した図９Ｂの状態から矢印Ｒの方向にベース部材２に対して板部材３を約９０°回動すると、図９Ｃに示したようにシャッター部材が組み上がる。図９Ｃの状態ではベース部材２から板部材３を引き離す方向の力Ｇが軸受遊挿部６２と回転軸７１との間に作用しても、前述したようにｒとｍとの関係を満足するので、板部材３がベース部材２から引き抜かれることはない。また、図９Ｃの状態では板部材３は摺動側板部２２の面と平行関係を維持できるため、摺動面１０６とも平行関係となり、ベース部材２の摺動動作に応じて窓被覆部３１は摺動面１０６を自由に摺動できる構成が達成できる。同図に示したベース部材２の摺動側板部２２は両方とも軸受部６０を備えているため、図９Ａ〜図９Ｃに示した工程を繰り返すことで図１０に示したシャッター部材１が得られる。
【００５１】
なお、カートリッジにシャッター部材１を組み立てる際には、一般的にケース部材１００にベース部材２を摺動係合させた後、板部材３を図９Ａ〜図９Ｄを参照して説明した工程で挿入・回動させシャッター部材１とする。このようにしてシャッター部材１をケース部材１００に組み込んだ後、窓被覆部３１を湾曲させケース部材１００のシャッター押さえ部１１１に填め込み、図１１に示したカートリッジが組み上がる。このカートリッジのシャッター部材１を開放位置決め部１０８まで摺動すると、窓部１０５及び／または摺動面１０６と窓被覆部３１とが摺接することなく、図１２に示すように窓部１０５を開放した状態が得られる。このように本発明のカートリッジに適用できるシャッター部材１は、ケース部材１００にベース部材２を摺動可能に填め込んだ後、板部材３の回転軸７１をベース部材２の軸受部６０に挿入するだけであるため、例えば特許文献２及び３に記載されているような融着に起因する課題が発生することなく、摺動特性及び窓部１０５の被覆性が極めて高いカートリッジを提供することができる。
【００５２】
なお、ベース部材２のシャッターオープナ係合部５０には図１３に示したように天板部５１を備える構成にすると、ベース部材２と板部材３との係合面間隙から埃等の異物がカートリッジ内部に混入することを抑制できるため好ましい。さらに、図１４に示したように位置決め部５２を爪部２８の爪２７側に係止リブ１１０の厚み程度の間隙を介して配置すると、ベース部材２の爪部２８とケース部材１００の係止リブ１１０との係合を確実にできるため好ましい。
【００５３】
なお、上記実施例では、ベース部材２が軸受部２５を有しており、板部材３が回転軸３３を有しており、ベース部材２と板部材３との係合が、板部材３の回転軸３３をベース部材２の軸受部２５に回転自在に挿入することによってなされている例を説明した。しかし、本発明はこの例に限定されない。例えば、ベース部材２が回転軸を有しており、板部材３が軸受部を有しており、ベース部材２と板部材３との係合が、ベース部材２の回転軸を板部材３の軸受部に回転自在に挿入することによってなされてもよい。
【００５４】
図１５は、本発明のカートリッジに適用できるシャッター部材１の他の実施例を示す斜視図である。図１６は、図１５におけるベース部材の斜視図である。図１７は図１５における板部材の斜視図である。
【００５５】
図１５〜図１７に示されるように、ベース部材２が回転軸３３３を有しており、板部材３が軸受部３２５を有しており、ベース部材２と板部材３との係合が、ベース部材２の回転軸３３３を板部材３の軸受部３２５に回転自在に挿入することによってなされてもよい。
【００５６】
本発明に係るカートリッジにおいては、ベース部材２と板部材３との係合の態様は問わない。ベース部材２と板部材３とが、ベース部材２から板部材３を取り外すことが可能なように係合されている限り、そのようなベース部材２と板部材３とを含むシャッター部材１は本発明の範囲内であるというべきである。さらに、そのようなシャッター部材１を含む任意のカートリッジもまた本発明の範囲内であるというべきである。
【００５７】
このように、本発明に係るシャッター部材１では、ベース部材２と板部材３とが、ベース部材２から板部材３を取り外すことが可能なように係合されている。このため、必要に応じて、ベース部材２から板部材３を取り外すことができる。例えば、ベース部材２から板部材３を取り外した状態で、情報媒体１０１の中心孔１１３にクリーニングキャップを装着し、そのクリーニングキャップを回転させることにより、情報媒体１０１をクリーニングするようにしてもよい。この場合、クリーニングキャップの回転は、手動で行われてもよいし、機械によって行われてもよい。このように、情報媒体１０１のクリーニングを容易に行うことができることは、ベース部材２から板部材３を取り外すことが可能なようにシャッター部材１が構成されていることの１つの利点である。
【００５８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５９】
本発明は、シャッター部材の摺動性が極めて高いカートリッジを実現できるため、カートリッジに収納した情報媒体に情報信号の授受を行う記録及び／再生装置で正確に作動す
ることができる。
【図面の簡単な説明】
【００６０】
【図１】図１は本発明の一実施例に係るシャッター部材の斜視図
【図２】図２は図１におけるベース部材の斜視図
【図３】図３は図１における板部材の斜視図
【図４】図４は本発明の他の実施例に係るベース部材の斜視図
【図５】図５は本発明の他の実施例に係るベース部材の斜視図
【図６】図６は本発明の他の実施例に係るベース部材の斜視図
【図７】図７は本発明の他の実施例に係るベース部材の斜視図
【図８Ａ】図８Ａは本発明の他の実施例に係る板部材の構成を示す平面図
【図８Ｂ】図８Ｂは本発明の他の実施例に係る板部材の構成の要部拡大図
【図９Ａ】図９Ａは本発明のシャッター部材の組立方法における挿入工程を示す図
【図９Ｂ】図９Ｂは本発明のシャッター部材の組立方法における回転工程を示す図
【図９Ｃ】図９Ｃは本発明のシャッター部材の組立方法における組立完成状態を示す図
【図９Ｄ】図９Ｄは図９Ａの要部拡大図
【図１０】図１０は本発明の他の実施例に係るシャッター部材の斜視図
【図１１】図１１は本発明の一実施例に係るシャッター部材閉塞状態を示すカートリッジの平面図
【図１２】図１２は図１１においてシャッター部材開放状態を示すカートリッジの平面図
【図１３】図１３は本発明の他の実施例に係るベース部材の斜視図
【図１４】図１４は本発明の他の実施例に係るベース部材の斜視図
【図１５】図１５は本発明の他の実施例に係るシャッター部材の斜視図
【図１６】図１６は図１５におけるベース部材の斜視図
【図１７】図１７は図１５における板部材の斜視図
【図１８】図１８はケース部材の斜視図
【図１９】図１９は従来のシャッター部材の一例を示す斜視図
【図２０Ａ】図２０Ａは正常状態のシャッター部材の側面図
【図２０Ｂ】図２０Ｂは角度が小さいシャッター部材の側面図
【図２０Ｃ】図２０Ｃは角度が大きいシャッター歩合の側面図
【符号の説明】
【００６１】
１  シャッター部材
２  ベース部材
３  板部材
４  一体化板部
５  摺動係合側板部
２１  摺動平板部
２２  摺動側板部
２３  切欠部
２４  壁
２５  軸受部
２６  軸受断面
３１  窓被覆部
３２  係合突出部
３３  回転軸
３４  回転軸断面
【図１】
0004558725.tif 000002
【図２】
0004558725.tif 000003
【図３】
0004558725.tif 000004
【図４】
0004558725.tif 000005
【図５】
0004558725.tif 000006
【図６】
0004558725.tif 000007
【図７】
0004558725.tif 000008
【図８Ａ】
0004558725.tif 000009
【図８Ｂ】
0004558725.tif 000010
【図９Ａ】
0004558725.tif 000011
【図９Ｂ】
0004558725.tif 000012
【図９Ｃ】
0004558725.tif 000013
【図９Ｄ】
0004558725.tif 000014
【図１０】
0004558725.tif 000015
【図１１】
0004558725.tif 000016
【図１２】
0004558725.tif 000017
【図１３】
0004558725.tif 000018
【図１４】
0004558725.tif 000019
【図１５】
0004558725.tif 000020
【図１６】
0004558725.tif 000021
【図１７】
0004558725.tif 000022
【図１８】
0004558725.tif 000023
【図１９】
0004558725.tif 000024
【図２０Ａ】
0004558725.tif 000025
【図２０Ｂ】
0004558725.tif 000026
【図２０Ｃ】
0004558725.tif 000027